(57)【要約】【課題】仕掛けの送込み抵抗が小さく、かつ魚のアタリを的確に表現し得る釣り用浮きを提供する。【解決手段】釣り糸１０３が挿通する糸通し孔１２が浮き本体に貫通形成され、糸通し孔１２の一部を縮径して細孔１３を設ける。細孔１３は、道糸先端が滞ることなく挿通し得る角度で糸通し孔１２と連続する。細孔１３は、糸通し孔１２が徐々に縮径するように形成される。【選択図】  図１
2006149311.tif 000002
【特許請求の範囲】
【請求項１】
釣り糸が挿通する糸通し孔が浮き本体に貫通形成され、前記糸通し孔の一部を縮径して細孔を設けたことを特徴とする釣り用浮き。
【請求項２】
前記細孔は、道糸先端が滞ることなく挿通し得る角度で前記糸通し孔と連続していることを特徴とする請求項１に記載の釣り用浮き。
【請求項３】
前記細孔は、前記糸通し孔が徐々に縮径するように形成されることを特徴とする請求項１または２に記載の釣り用浮き。
【請求項４】
前記細孔は、前記糸通し孔と同心に設けられることを特徴とする請求項１〜３のいずれか１項に記載の釣り用浮き。
【発明の詳細な説明】
【技術分野】
【０００１】
本発明は、海釣り等で使用する釣り用浮きに関する。
【背景技術】
【０００２】
従来、全遊動仕掛けでは、浮き本体に釣り糸が挿通する糸通し孔が貫通形成された所謂ななめ浮き等が用いられる。この場合、浮き止め糸を使わず、釣針および餌の重さやハリスの重さなどによる重力と、これらに潮が当たって生じる水流抵抗とで仕掛けを水中に沈めていく方法がとられている。
【０００３】
この方法では仕掛けを水中に引き込む力が小さく（弱く）、小径の糸通し孔の場合糸落ちが悪くなる。なお、糸通し孔はセンタパイプにより形成される。そのため、たとえば図４のように浮き１００の浮き本体において、大径のセンタパイプ１０１を用いて糸通し孔１０２を形成し、釣り糸１０３の糸落ちをよくするようにしている。
【発明の開示】
【発明が解決しようとする課題】
【０００４】
ところで、この種の仕掛けにおいて、魚がかかった時には極めて速く、しかも強い力で釣り糸が引き出される。上述のように糸落ちをよくするために採用された大径のセンタパイプ１０１にあっては、釣り糸１０３が通過する際の抵抗力が小さく、浮き１００を水中に引き込むための力が十分に伝わらない。そのため浮き１００はその場に浮いたままで釣り糸１０３だけが引き出され、浮き１００が沈まずアタリがでない等の問題があった。
【０００５】
本発明はかかる実情に鑑み、仕掛けの送込み抵抗が小さく、かつ魚のアタリを的確に表現し得る釣り用浮きを提供することを目的とする。
【課題を解決するための手段】
【０００６】
本発明の釣り用浮きは、釣り糸が挿通する糸通し孔が浮き本体に貫通形成され、前記糸通し孔の一部を縮径して細孔を設けたことを特徴とする。
【０００７】
また、本発明の釣り用浮きにおいて、前記細孔は、道糸先端が滞ることなく挿通し得る角度で前記糸通し孔と連続していることを特徴とする。
【０００８】
また、本発明の釣り用浮きにおいて、前記細孔は、前記糸通し孔が徐々に縮径するように形成されることを特徴とする。
【０００９】
また、本発明の釣り用浮きにおいて、前記細孔は、前記糸通し孔と同心に設けられることを特徴とする。
【発明の効果】
【００１０】
本発明によれば、釣り糸を沈降させる力により、釣り糸の断面を螺線の内側から外へ回転させる力が働く。このため、逆に釣り糸は最初の巻きグセに戻ろうとする力で逆回転して、そのピッチを縮め径を広げようとする。細孔の内壁を逆上がろうとし、その内壁を外側に押し続ける。この押圧力は、釣り糸が細孔を通過しようとするときの抵抗力となる。この抵抗力により浮きが水中に引き込まれるため、アタリを的確に把握することができる。
【発明を実施するための最良の形態】
【００１１】
以下、本発明の好適な実施の形態について、従来例と実質的に同一または対応する部材材には同一符号を用いて、添付図面に基づいて詳細に説明する。
図１は、本発明の実施形態における釣り用浮き１０を示している。浮き１０はその基本構成において、好適には木材もしくは合成樹脂材料を用いて、図示例のように卵型あるいは円錐型等の形状に形成される。なお、これらの形状に限定されるものではなく、その他種々の形状を採用可能である。
【００１２】
この実施形態において、浮き１０の浮き本体の中心に釣り糸１０３（道糸）を挿通するための中通し孔１２を有する中通し浮きとして構成される。浮き１０の中心に設けた穴には、センタパイプ１１が装着される。このセンタパイプ１１は好適には樹脂または金属製とし、その大径の内孔により中通し孔１２が形成される。
【００１３】
特に本発明の浮き１０は、糸通し孔１２の一部を縮径して細孔１３を設けている。この細孔１３は、道糸先端が滞ることなく挿通し得る角度で糸通し孔１２と連続して形成される。ここで、細孔１３は樹脂材等を用いてセンタパイプ１１と一体成形され、すなわち、センタパイプ１１の内周面から典型的にはテーパ状に立ち上がった傾斜面１４ａを持つ突部１４を有し、この突部１４の先端に細孔１３が開設される。
【００１４】
上記のようにテーパ状に突部１４を設けることで、細孔１３は、糸通し孔１２が徐々に縮径するように形成される。この場合、細孔１３は、糸通し孔１２と同心に設けられる。また、突部１４のテーパの強弱や長さは、適宜設定することができる。
【００１５】
上記構成において、ここで先ず、センタパイプ１１を通過時の釣り糸１０３に関わる抵抗として、摩擦抵抗を考える。浮き１０の使用時には水面下にあり、海水が常に潤滑剤として働くので、その抵抗力は限りなくゼロに近いと考えられる。また、水面上においても水の表面張力が釣り糸１０３をセンタパイプ１１の壁面に吸いつける力の方が、純粋な摩擦力よりも大きな抵抗要素となる。
【００１６】
ところが、水面よりも上になるセンタパイプ１１の長さは、該センタパイプ１１を垂直に使うときでも浮き１０全体の約２割程度に満たない。水平に近く使うときは全て水面下と考えてよいので、表面張力も大きな抵抗にはならない。
【００１７】
他方、道糸にはリールのスプール（図示せず）に応じた巻きグセがついている。かかる巻きグセのついた道糸は、スプールの軸方向に引き解かれるのでその挙動は、たとえば図３に示されるように釣り竿のガイドを出る時点ではコイルバネ状に見え、浮き１０の頭に達することには伸びた螺旋を横から見た波状の形に見える。
【００１８】
これを厳密に言うと、糸が真直ぐに伸びた訳ではなく、大きな径（たとえばスプール径は４０ｍｍ）で、ピッチ（隣の巻き糸との間隔）０．３ｍｍだったコイル状巻線が小さな径（浮きの孔径２ｍｍ）でピッチ１２５ｍｍほどの螺旋に変わったものである。見かけ上は直線に近いが、あくまで螺線の巻きグセは残ったままである。
【００１９】
また、図２に示されるように釣り糸１０３自体にはこれを沈降させる力Ｆにより、釣り糸１０３の断面を螺線の内側から外へ回転させる力ｆが働いている。このため、逆に釣り糸１０３は最初の巻きグセに戻ろうと力ｐで逆回転し、そのピッチを縮め径を広げようとする。そして、細孔１２の内壁を逆上がろうとし、その内壁を押圧力Ｐで外側に押し続ける。この押圧力Ｐはまさに、釣り糸１０３が細孔１２を通過しようとするときに生じる抵抗力であり、表現の指標を求めると、つぎのようになる。
φ４０／φ２＝２０（巻グセと孔の直径比）が適当である。当然ながら、細孔１２の直径が大きくなれば糸落ちはよくなる。
【００２０】
さらに、時間軸からの分析を行うと、釣り糸１０３が移動する際には巻グセを絞り変形させる必要がある。釣り糸１０３の変形にも最小限の時間が必要なことを考慮すると、魚が引くような高速になると、樹脂糸の変形が間に合わず、螺旋状のよれ形状そのものが大きな抵抗となる。
結果として、糸落ちを速くするには従来の孔径よりも大きな孔径を採用すればよい。魚のアタリを出易くするためには、その一部に細孔部分を作り、ヨレの抵抗を直接浮きに伝えることである。また、細孔部分の壁の長さも極力少ない方が、糸落ち抵抗を少なくするのに有効である。
【００２１】
なお、本発明の好適な実施形態を説明したが、本発明は上述した実施形態にのみ限定されるものではなく、必要に応じて適宜変更等が可能である。
たとえば、突部１４の傾斜面１４ａはテーパ状の他に、たとえば凹状の湾曲面等であってもよく、上記実施形態と同様な作用効果を奏する。
【図面の簡単な説明】
【００２２】
【図１】本発明の実施形態に係る浮きの構成例を示す図である。
【図２】本発明の実施形態における細孔の作用を示す図である。
【図３】本発明の実施形態に係る釣り糸の挙動の例を示す図である。
【図４】従来の浮きの構成例を示す図である。
【符号の説明】
【００２３】
１０  浮き
１１  センタパイプ
１２  中通し孔
１３  細孔
１４  突部
１４ａ  傾斜面
【図１】
2006149311.tif 000003
【図２】
2006149311.tif 000004
【図３】
2006149311.tif 000005
【図４】
2006149311.tif 000006